(57)【要約】【課題】反射効率を向上させて、回転灯からの光を遠方にまで届かせることができる発光ダイオードを用いた回転灯を提供する。【解決手段】基体と、基体に装着され、透光性を有するグローブと、基体内に設置された軸部３と、軸部３に回転可能に支持された回転部材１９と、回転部材１９の上面上に配置され、光の反射面５ａが放物面で構成される主反射ミラー５と、発光ダイオードと、回転部材１９を回転駆動する駆動部２１とを備え、発光ダイオードの光軸と、主反射ミラー５の反射面５ａとが交わる。【選択図】図２
2006318885.tif 000002
【特許請求の範囲】
【請求項１】
基体と、
前記基体に装着され、透光性を有するグローブと、
前記基体内に設置された軸部と、
前記軸部に回転可能に支持された回転部材と、
前記回転部材の上面上に配置され放物面形状の反射面を少なくとも一部が構成される反射ミラーと、
光源として機能する発光ダイオードと、
前記回転部材を回転駆動する駆動部と、
を備え、
前記発光ダイオードの光軸と、前記反射ミラーの前記反射面とが交わるように前記発光ダイオードと前記反射ミラーとを配置した回転灯。
【請求項２】
前記発光ダイオードは、平行光を前記反射面に照射したときの焦点位置に配置され、
前記反射ミラーは、前記発光ダイオードの後方から側方に延在し、さらに発光ダイオードの上方を経由して前記発光ダイオードよりも前方に突出する形状を有する、請求項１に記載の回転灯。
【請求項３】
前記回転部材の上面上に配置され、前記反射ミラーに対して対向配置された補助反射ミラーをさらに備え、
前記補助反射ミラーと前記反射ミラーとの間に、前記発光ダイオードが配置された、請求項１または請求項２に記載の回転灯。
【請求項４】
前記補助反射ミラーのうち前記反射ミラーと対向する面は、円弧状に湾曲する湾曲面とされ、
該湾曲面は、前記発光ダイオードから離間するに従って、高さが高くなるように傾斜すると共に、前記湾曲面の周方向の長さが漸次長くなるように形成された、請求項３に記載の回転灯。
【請求項５】
前記発光ダイオードを有する発光器は、環状に形成された環状部材と、
前記環状部材の周方向に沿って少なくとも１つ以上配置され、一方の端部が前記環状部材の内方に配置された板状部材と、をさらに備え、
前記板状部材は、前記環状部材から外方に向けて延在する延在部を含む、請求項１から請求項４のいずれかに記載の回転灯。
【請求項６】
前記発光器が設けられたプリント基板と、
前記プリント基板と前記軸部とを連結する連結部材と、
をさらに備え、
前記軸部と、前記プリント基板と、前記連結部材とを金属を含む材料で構成した、請求項５に記載の回転灯。
【請求項７】
前記回転部材と前記軸部とを支持する平板状の支持板をさらに備え、
前記支持板を金属を含む材料で構成した、請求項１から請求項６のいずれかに記載の回転灯。
【請求項８】
前記発光ダイオードを前記グローブの上壁に固定した、請求項１または請求項２に記載の回転灯。
【請求項９】
前記発光ダイオードで発する熱を外部に発散可能な放熱部をさらに備え、
前記放熱部を介して前記発光ダイオードを前記グローブの上壁に固定した、請求項８に記載の回転灯。
【請求項１０】
前記放熱部は、表面上に発光ダイオードが実装されるプリント基板と、
表面上に前記プリント基板が取り付けられる放熱板を含み、
前記放熱板を前記グローブの上壁に固定した、請求項８または請求項９に記載の回転灯。
【請求項１１】
前記発光ダイオードに電力を供給するためのリード線をさらに備え、
前記グローブの内表面に沿うように前記リード線を配置した、請求項８から請求項１０のいずれかに記載の回転灯。
【請求項１２】
前記反射ミラーは、前記放物面形状の第１反射面と、該第１反射面の両側に配置された第２と第３反射面とを含み、
前記第２反射面は、前記発光ダイオードからの光を前記第１反射面によって反射された反射光よりも、前記基体側に向けて反射し、
前記第３反射面は、前記反射光よりも、前記反射ミラーの上端部側に向けて反射する、請求項１から請求項１１のいずれかに記載の回転灯。
【請求項１３】
前記第２反射面および前記第３反射面は、前記基体側から前記反射ミラーの上端部側に亘って複数形成され、
前記基体側に位置する前記第２反射面の面積は、前記反射ミラーの上端部側に位置する前記第２反射面の面積より小さく、
前記反射ミラーの上端部側に位置する前記第３反射面の面積は、前記基体側に位置する前記第３反射面の面積より小さい、請求項１２に記載の回転灯。
【請求項１４】
前記発光ダイオードからの光を導く光導部をさらに備える、請求項１から請求項１２のいずれかに記載の回転灯。
【請求項１５】
前記光導部は、前記光を、反射する反射面を有する、請求項１４に記載の回転灯。
【請求項１６】
前記発光ダイオードからの光を集光して、前記光導部に供給する集光部をさらに備える、請求項１４または請求項１５に記載の回転灯。
【請求項１７】
前記光導部は、前記発光ダイオード上に立ち上がるように設けられ、前記光を散乱させる散乱部を先端部に有する、請求項１４から請求項１６のいずれかに記載の回転灯。
【発明の詳細な説明】
【技術分野】
【０００１】
この発明は、発光ダイオードを用いた回転灯に関する。
【背景技術】
【０００２】
従来の回転灯としては、光源に白熱電球を用いた回転灯が知られている。しかし、この白熱電球を用いた回転灯は、短期に電球が切れるという問題があり、また、消費電力も大きく、維持管理に多くの手間がかかるものとなっていた。
【０００３】
そこで、近年、回転灯の光源としてＬＥＤ光源素子が用いられるようになっている。このような、光源としてＬＥＤ光源素子が用いられた回転灯としては、たとえば、特開２００２−１６３９０３号公報に記載された回転灯が知られている。
【０００４】
この特開２００２−１６３９０３号公報に記載された回転灯は、円板状ホルダーの上下面に放射線状に複数のＬＥＤ発光素子を配列して光源となし、この光源の周囲に回転する円筒状の反射器を備えている。このように構成された回転灯においては、ＬＥＤ発光素子により構成された光源の周囲を反射器が回転することにより、ＬＥＤ発光素子から発せられた光を水平方向に反射する。
【特許文献１】特開２００２−１６３９０３号公報
【発明の開示】
【発明が解決しようとする課題】
【０００５】
反射器で反射した光は、略平行光であるため、反射光を広範囲に届かせるために、反射光経路の断面積を確保する必要がある。このため、従来から反射器の開口部は、所定の大きさとされている。これにより、複数のＬＥＤ発光素子のうち、反射器の開口部側に位置するＬＥＤ発光素子の数も多いものとなっている。これに伴い、ＬＥＤ発光素子からの光のうち、直接外方に放射される光の割合が高いものとなっている。
【０００６】
このように、上記従来の回転灯においては、反射器がＬＥＤ発光素子からの光を反射する反射効率が低いものとなっている。ここで、ＬＥＤ発光素子の光は、指向性が高いものの、遠方においては、広がる傾向にあるため、反射器の反射効率が低いと、遠方にまで回転灯の光が届かないという問題があった。
【０００７】
本発明は、上記のような課題を考慮してなされたものであり、その目的は、反射効率を向上させて、回転灯からの光を遠方にまで届かせることができる発光ダイオードを用いた回転灯を提供することである。
【課題を解決するための手段】
【０００８】
本発明に係る回転灯は、基体と、基体に装着され、透光性を有するグローブと、基体内に設置された軸部と、軸部に回転可能に支持された回転部材と、回転部材の上面上に配置され放物面形状の反射面を少なくとも一部が構成される反射ミラーと、光源として機能する発光ダイオードと、回転部材を回転駆動する駆動部とを備え、発光ダイオードの光軸と、反射ミラーの反射面とが交わるように発光ダイオードと反射ミラーとを配置する。好ましくは、上記発光ダイオードは、平行光を反射面に照射したときの焦点位置に配置され、反射ミラーは、発光ダイオードの後方から側方に延在し、さらに発光ダイオードの上方を経由して発光ダイオードよりも前方に突出する形状を有する。好ましくは、回転部材の上面上に配置され、反射ミラーに対して対向配置された補助反射ミラーをさらに備え、補助反射ミラーと反射ミラーとの間に、発光ダイオードが配置される。好ましくは、上記補助反射ミラーのうち反射ミラーと対向する面は、円弧状に湾曲する湾曲面とされ、湾曲面は、発光ダイオードから離間するに従って、高さが高くなるように傾斜すると共に、湾曲面の周方向の長さが漸次長くなるように形成される。好ましくは、発光ダイオードを有する発光器は、環状に形成された環状部材と、環状部材の周方向に沿って少なくとも１つ以上配置され、一方の端部が環状部材の内方に配置された板状部材と、をさらに備え、板状部材は、環状部材から外方に向けて延在する延在部を含む。好ましくは、発光器が設けられたプリント基板と、プリント基板と軸部とを連結する連結部材とをさらに備え、軸部と、プリント基板と、連結部材とを金属を含む材料で構成する。好ましくは、回転部材と軸部とを支持する平板状の支持板をさらに備え、支持板を金属を含む材料で構成する。好ましくは、上記発光ダイオードをグローブの上壁に固定する。好ましくは、上記発光ダイオードで発する熱を外部に発散可能な放熱部をさらに備え、放熱部を介して発光ダイオードをグローブの上壁に固定する。好ましくは、上記放熱部は、表面上に発光ダイオードが実装されるプリント基板と、表面上にプリント基板が取り付けられる放熱板を含み、放熱板をグローブの上壁に固定する。好ましくは、上記発光ダイオードに電力を供給するためのリード線をさらに備え、グローブの内表面に沿うようにリード線を配置する。
【０００９】
好ましくは、上記反射ミラーは、放物面形状の第１反射面と、第１反射面の両側に配置された第２と第３反射面とを含み、第２反射面は、発光ダイオードからの光を第１反射面によって反射された反射光よりも、基体側に向けて反射し、記第３反射面は、反射光よりも、反射ミラーの上端部側に向けて反射する。好ましくは、第２反射面および第３反射面は、基体側から反射ミラーの上端部側に亘って複数形成され、基体側に位置する第２反射面の面積は、反射ミラーの上端部側に位置する第２反射面の面積より小さく、反射ミラーの上端部側に位置する第３反射面の面積は、基体側に位置する第３反射面の面積より小さい。好ましくは、上記発光ダイオードからの光を導く光導部をさらに備える。好ましくは、光導部は、光を、反射する反射面を有する。好ましくは、上記発光ダイオードからの光を集光して、光導部に供給する集光部をさらに備える。好ましくは、上記光導部は、発光ダイオード上に立ち上がるように設けられ、光を散乱させる散乱部を先端部に有する。
【発明の効果】
【００１０】
この発明に係る回転灯によれば、光を遠方にまで届かせることができる。
【発明を実施するための最良の形態】
【００１１】
図１から図３２を用いて、本発明に係る実施の形態について説明する。
（実施の形態１）
図１は、本実施の形態１に係る回転灯１００の斜視図である。この図１に示されるように、回転灯１００は、透明性を有するグローブ１２とボディー（基体）１３とを含む筐体１６とを備えている。グローブ１２は、略中空円柱形状とされている。グローブ１２の下面は、外方に開口する開口部１２ａとされており、この開口部１２ａの内周面には、ネジ部が形成されている。ボディー１３は、略中空円柱形状に形成されている。ボディー１３の上面は、外方に開口する開口部１３ａとされており、この開口部１３ａの外周面上には、開口部１２ａに形成されたネジ部に螺合するネジ部が形成されている。これら開口部１３ａと開口部１２ａとに形成されたネジ部が互いに螺合して、グローブ１２とボディー１３とが一体とされ筐体１６が構成されている。
【００１２】
開口部１２ａ、１３ａの近傍には、円形状に形成された台２０が配置されている。図２は、図１に示された回転灯のＩＩ−ＩＩ線における側断面図であり、この図２に示されるように、回転灯１００は、ボディー１３内に配置された軸部３と、軸部３に回転可能に支持された回転部材１９と、回転部材１９の上面上に配置され、光の反射面５ａが放物面で構成された反射ミラー５と、発光器１と、回転部材１９を回転駆動する駆動部２１とを備えている。また、回転灯１００は、回転部材１９と、軸部３とを支持する平板状のシャーシ（支持板）４を備えている。
【００１３】
シャーシ４は、ボディー１３の開口部１３ａを覆う程度の大きさとされており、円形平板状に形成されている。また、このシャーシ４は、金属を含む材料で構成されている。なお、シャーシ４は、銅またはアルミにより構成されているのが好ましい。このシャーシ４の中心部の上面側には、筒状の軸部３が配置されている。この軸部３の下端部には、シャーシ４の下面側からナット１５が螺合されている。また、シャーシ４には、回転部材１９を駆動する駆動部２１が設けられている。
【００１４】
軸部３は、筒部３ａと、この筒部３ａの上端部に形成され、外方に向けて膨出する膨出部３ｂとを備えている。筒部３ａ内には、図示されない電線が配置されている。この軸部３は、金属を含む材料で構成されている。なお、軸部３は、銅またはアルミにより構成されているのが好ましい。そして、軸部３の筒部３ａの外周面側には、回転部材１９が配置されている。
【００１５】
回転部材１９は、台２０と、台２０の下面側に配置された主歯車８とを備えている。台２０は、円形平板状に形成された上面２０ｃと、この上面２０ｃの外周縁部から垂下する周壁部２０ｂとを備えている。上面２０ｃの中央部には、円形の開口部２０ａが形成されている。主歯車８は、円筒状に形成された筒部８ｂと、この筒部８ｂの上端部側に形成された円形状の円板部８ａと、円板部８ａの外周縁部に設けられ上方に向けて形成された周壁部８ｄと、この周壁部８ｄの上端部に形成された取付部８ｃとを備えている。取付部８ｃは、周壁部８ｄの上端部から外方に向けて拡径しており、取付部８ｃの上端部には、ネジ穴が形成されている。このため、主歯車８は、中空状に形成されており、主歯車８の内部には、収納部８ｅが形成されている。主歯車８と台２０とは、取付部８ｃに螺合されたネジにより一体に連結されている。また、円板部８ａの外周縁部および周壁部８ｄの外周面上には、周方向に沿って複数の歯部が形成されている。
【００１６】
主歯車８内には、発光器１と、発光器１が設けられた平板状のプリント基板２と、プリント基板２と軸部３とを連結するフランジ（連結部材）７とが設けられている。
【００１７】
フランジ７の上端部は、ネジによりプリント基板２に固定されており、下端部が軸部３の膨出部３ｂに埋め込まれている。このため、軸部３と、フランジ７と、プリント基板２と、発光器１とは、一体に連結されている。発光器１は、プリント基板２の中央部に配置されており、軸部３の中心軸線上に配置されている。なお、フランジ７は、金属を含む材料で構成されており、銅またはアルミにより構成されているのが好ましい。
【００１８】
駆動部２１は、支持軸１８と、この支持軸１８に支持された中間歯車９と、中間歯車９に歯合するピニオン歯車１０と、ピニオン歯車１０を回転駆動するモータ１１とを備えている。支持軸１８は、シャーシ４の上面上に配置されており、回転部材１９よりシャーシ４の外周縁部側に配置されている。また、モータ１１は、この支持軸１８よりシャーシ４の外周縁部側に配置されている。支持軸１８は、シャーシ４の上面上に設けられた大径部１８ａと、この大径部１８ａの上端部に設けられ、大径部１８ａより小径の小径部１８ｂとを備えている。このため、支持軸１８の中腹部分には、段差部が形成されている。中間歯車９内には、支持軸１８が嵌挿されており、支持軸１８に回転可能に支持されている。この中間歯車９は、円板状に形成された円板部９ａと、この円板部９ａの上面上に形成された筒部９ｂとを備えている。筒部９ｂの外周面上には、主歯車８に形成された歯部と歯合する歯部が形成されており、円板部９ａの外周縁部にも、複数の歯部が形成されている。
【００１９】
モータ１１は、シャーシ４の下面側に配置されており、このモータ１１の駆動軸１１ａは、シャーシ４の下面から上面に貫通するように配置されている。この駆動軸１１ａの上端部には、ピニオン歯車１０が設けられている。このピニオン歯車１０の外周面上には、中間歯車９の円板部９ａに形成された歯部に歯合する歯部が複数形成されている。
【００２０】
図３は、プリント基板２と、発光器１と、主歯車８との斜視図であり、この図３に示されるように、主歯車８に設けられた取付部８ｃは、周壁部８ｄの上端面に周方向に沿って４箇所形成されている。この４つの取付部８ｃの内側には、プリント基板２が配置されている。このプリント基板２は、金属材料を含む材料により構成されており、好ましくは、アルミまたは銅により構成されている。
【００２１】
図４は、発光器１の上面図であり、この図４に示されるように、発光器１は、円環状に形成されたハウジング（環状部材）３３と、このハウジング３３の周方向に沿って少なくとも、１つ以上配置され、一方の端部がハウジング３３の内方に配置されたリードフレーム（板状部材）３１と、リードフレーム３１の端部に設けられた発光ダイオード３４とを備えている。
【００２２】
リードフレーム３１は、ハウジング３３の周方向に８箇所設けられており、これらのリードフレーム３１のうち、一対の対向するリードフレーム３１を除く、６つのリードフレーム３１の先端部に発光ダイオード３４が配置されている。そして、３つの隣接する発光ダイオード３４は、配線３２により直列に接続され１組とされ、２組の発光ダイオード３４が並列に配置されている。また、リードフレーム３１は、長尺な平板状に形成されており、一方の端部がハウジング３３内に配置されている。また、リードフレーム３１には、ハウジング３３内から外方に向けて延在する延在部３５が設けられている。
【００２３】
図５は、発光ダイオード３４の接続状態を示す配線図であり、この図５に示されるように、３つの発光ダイオード３４が直列に接続され、この直列に接続された発光ダイオード３４が２組並列に接続されている。
【００２４】
なお、本実施の形態においては、発光ダイオード３４が複数設けられているが、これに限られない。図６は、発光器１の変形例を示す斜視図であり、この図６に示されるように、プリント基板２の中央部に１つのパワーＬＥＤ（Light Emitting Diode）６０が配置された発光器１を用いてもよい。なお、パワーＬＥＤ６０からの発光量は多いので、１つであっても回転灯の光源として利用することができる。
【００２５】
図２において、反射ミラー５は、台２０の上面２０ｃに設けられており、この反射ミラー５は、開口部２０ａの近傍に配置されている。発光器１は、開口部２０ａの中央部に配置されており、放物面形状の反射ミラー５は、発光器１を覆うように配置されている。このため、反射ミラー５は、図４に示された発光ダイオード３４の後方から側方に延在し、さらに発光ダイオード３４の上方を経由して、発光ダイオード３４よりも前方に突出する形状を有している。反射面５ａの放物面の軸Ｐは、台２０の上面２０ｃに対して平行となるように配置されている。そして、基体１３が水平方向に配置されることにより、軸Ｐも水平方向に向けられる。
【００２６】
各発光ダイオード３４の光軸Ｑと反射ミラー５とが交差するように、各発光ダイオード３４の光軸Ｑは、反射ミラー５の回転軸線上またはその近傍に配置されている。すなわち、光軸Ｑは、軸部３の中心軸線上または、軸部３の中心軸線の近傍に配置されており、軸部３の中心軸線に平行に配置されている。
【００２７】
そして、発光ダイオード３４からの光は、円錐状となるため、発光ダイオード３４からの光は、軸部３の中心軸線を中心として略対称的に放射されている。
【００２８】
その一方で、反射ミラー５と発光ダイオード３４の光軸Ｑとは、交差すると共に、反射ミラー５は、軸部３を中心に回動する。このため、反射ミラー５が軸部３を中心に回動した際においても、発光ダイオード３４から反射ミラー５内に照射され光の照射状況の変動が小さいものとなっている。すなわち、反射ミラー５が軸部３を中心に回転しても、発光ダイオード３４からの光が反射ミラー５にあたる角度が殆んど変動せず、反射ミラー５の反射態様が殆んど変動せず、反射ミラー５が回転しても定常な反射光が外方に放射される。
【００２９】
ここで、本実施の形態１においては、発光ダイオード３４の光の放射角度は、１７０°程度とされている。また、発光ダイオード３４と反射ミラー５の下端部とを結ぶ線分と、台２０の上面２０ｃとの成す角度は、１０°程度に設定されている。そして、反射ミラー５の上端部と焦点Ｏとを結ぶ線分と、焦点Ｏと反射ミラー５の下端部とを結ぶ線分との成す交差角度θは、９０°以上１２０°以下に設定されている。このため、反射ミラー５の下端部から上端部までの全面に亘って、発光器１からの光が照射される。なお、ここで、焦点Ｏとは、略放物面状に形成された反射ミラー５に、この反射ミラー５の軸線と平行な平行光が当てられた際に、その反射光が収束する点を意味する。
【００３０】
なお、交差角度θを９０°より小さく設定すると、発光ダイオード３４の放射角度１７０°程度であることから、反射ミラー５の発光ダイオード３４からの光を反射する反射効率が小さくなるためである。また、交差角度θを１２０°より大きくするには、反射ミラー５の先端部をさらに伸ばすことになり、反射ミラー５が大きくなるためである。
【００３１】
ここで、反射ミラー５に、反射ミラー５の放物面の軸Ｐと平行な平行光が照射されると、その反射光は、１点に収束する。この反射光が収束する点に発光ダイオード３４を配置している。すなわち、発光ダイオード３４は、平行光を反射ミラー５の反射面５ａに照射したときの焦点Ｏに配置されている。なお、この焦点Ｏは、軸部３の中心軸線上またはその近傍に位置している。
【００３２】
このように構成された回転灯１００によれば、モータ１１がピニオン歯車１０を回転駆動する。ピニオン歯車１０が駆動軸１１ａを中心に回動すると、ピニオン歯車１０に歯合している中間歯車９が支持軸１８を中心に回動する。中間歯車９が支持軸１８を中心に回動すると、中間歯車９と歯合する回転部材１９が軸部３を中心に回動する。このように、回転部材１９が軸部３を中心に回動すると、台２０の上面に設けられた反射ミラー５が軸部３を中心に回転する。この際、軸部３の中心軸線上に焦点Ｏが配置されているため、反射ミラー５が回動した際においても、反射面５ａの焦点の位置は、変動することなく、軸部３の中心軸線上に位置する。
【００３３】
そして、発光ダイオード３４の光軸Ｑが台２０の上面２０ｃと直交するように配置されており、この発光ダイオード３４からの円錐状の光は、放射角度が略１７０°程度の広がりをもって、上方に向けて出射される。その一方で、反射ミラー５は、反射ミラー５の上端部と焦点Ｏとを結ぶ線分と、焦点Ｏと反射ミラー５の下端部とを結ぶ線分との成す角度θが、９０°以上１２０°以下とされている。
【００３４】
このため、発光ダイオード３４の放射角度が（θ−９０°）×２より小さい場合には、反射ミラー５の反射効率は、１００％となる。また、発光ダイオードの光の放射角度が（θ−９０°）×２より大きい場合においても、発光ダイオード３４の光軸Ｑと反射ミラー５とが交差するとともに、反射ミラー５は、発光ダイオード３４の上方を覆うように配置されているため、反射ミラー５の反射効率は、少なくとも５０％以上が確保される。
【００３５】
また、本実施の形態１においては、光の放射角度が１７０°程度の発光ダイオード３４を用いているが、このような、光の放射角度の大きな発光ダイオード３４においても、光軸Ｑ付近の光の光度が高いものとなっている。そして、発光ダイオード３４の光軸Ｑは、反射ミラー５と交差しているため、発光ダイオード３４からの円錐状の光のうち、光度の高い部分は、反射ミラー５により確実に反射される。
【００３６】
反射ミラー５の全面に発光器１からの光が照射され、照射された光は反射面５ａで反射される。ここで、反射面５ａの放物面の軸Ｐは、水平方向に向けられており、発光ダイオード３４が焦点Ｏに配置されているため、反射面５ａでの反射光は、水平方向に向けて反射される。すなわち、反射面５ａの下端部側から上端部側に亘って、反射光の進行方向は、水平方向とされており、反射面５ａの軸Ｐと平行に進行する。
【００３７】
図７は、図２のＶＩＩ−ＶＩＩ線における断面図であり、この図７に示されるように、反射面５ａが放物面形状とされており、発光ダイオード３４が焦点Ｏに配置されているため、発光器１からの光は、反射面５ａにて平行に反射される。この際、反射面５ａの一方の端部側から他方の端部側に亘って、反射光は、反射面５ａの軸に沿って平行に反射される。このように、発光器１からの光は、反射ミラー５により、反射面５ａの軸Ｐに沿って平行に反射される。このため、反射された光は、広がり難く、遠方にまで届くことになる。
【００３８】
なお、反射ミラー５が軸部３を中心に回転した際においても、発光ダイオード３４からの光が、反射ミラー５に照射される照射状況が変動しないため、反射ミラー５が回動した際においても、反射ミラー５により反射された反射光は、平行光とし反射される。このため、反射ミラー５により反射された光は、遠方にまで出射される。
【００３９】
ここで、回転灯１００が長時間駆動すると、発光ダイオード３４に熱が生じる。その一方で、図４に示されるように、リードフレーム３１は、ハウジングから外方に向けて延在する延在部３５を備えている。このため、発光ダイオード３４に生じた熱は、まず、リードフレーム３１の延在部３５に伝わると共に、延在部３５で外方に放熱される。そして、図２に示されるように、発光ダイオード３４を備えた発光器１と、プリント基板２と、フランジ７と、軸部３とは、一体に構成されている。このため、図４に示される発光ダイオード３４に生じた熱およびリードフレーム３１に伝達された熱は、図２に示されるプリント基板２と、フランジ７と、軸部３とに順次伝達されると共に、外部に向けて放熱される。ここで、この軸部３と、フランジ７と、プリント基板２とは、金属を含む材料で構成されているため、良好に熱が伝達されると共に、熱が良好に放熱される。なお、軸部３とフランジ７と、プリント基板２とが、銅またはアルミにより構成されている場合には、熱伝達率が高く、良好に熱が外部に放熱される。
【００４０】
さらに、シャーシ４も金属を含む材料により構成されているので、軸部３にまで伝達された熱がシャーシ４にも良好に伝達され、外方に良好に放熱される。また、シャーシ４が銅またはアルミにより構成されている場合には、さらに良好に熱がシャーシ４に伝達され外部に放熱される。
【００４１】
その上、発光器１は、回転部材８内または、反射面５ａの中央部よりも、下方に配置されているため、発光ダイオード３４からの熱を放熱する機構を回転部材８内に収納することができ、プリント基板２等により、反射面５ａからの反射光がプリント基板２等により遮られることを抑制することができる。また、発光器１を回転部材８側に配置することにより、発光器１の直下にプリント基板２等の放熱部材を配置することができ、反射光を遮ることなく、発光ダイオード３４からの熱を良好に放熱させることができる。
【００４２】
本実施の形態１に係る回転灯１００によれば、発光ダイオード３４からの光のうち０°以上θ°以下の放射角度の部分については、反射ミラー５により反射され、反射ミラー５の反射効率が高いものとなっている。このため、発光ダイオード３４からの光の大部分を平行光に変換することができ、確実に光を遠方にまで届かせることができる。
【００４３】
特に、本実施の形態１に係る回転灯１００には、発光ダイオード３４から出射される円錐状の光のうち、光度の高い部分を確実に反射することができるので、光度の強い平行光を出射することができる。
【００４４】
さらに、この回転灯１００においては、発光ダイオード３４に生じる熱を外方に放熱することができるので、発光ダイオード３４の長寿命化を図ることができる。
【００４５】
（実施の形態２）
図８から図１６を用いて、実施の形態２について説明する。図８は、本実施の形態２に係る回転灯２００の斜視図である。この図８に示されるように、回転灯２００は、反射ミラー５と対向配置された補助反射ミラー５０を備えている。この補助反射ミラー５０は、台２０の上面２０ｃに固定された支持部５０ａと、この支持部５０ａの先端部に設けられた副反射部５０ｂとを備えている。
【００４６】
補助反射ミラー５０と発光器１とは、いずれも、反射面５ａの軸Ｐに沿って配置されており、発光器１内の発光ダイオード３４は、反射ミラー５と補助反射ミラー５０との間に配置されている。
【００４７】
図９は、図８に示された回転灯２００の側断面図であり、この図９に示されるように、補助反射ミラー５０のうち、反射ミラー５と対向配置された副反射面５０ｃは、円弧状に湾曲する湾曲面とされている。この湾曲面とされた副反射面５０ｃは、焦点Ｏから離間するに従って、漸次高さが高くなるように傾斜する。ここで、焦点Ｏには、発光ダイオード３４が配置されているため、副反射面５０ｃは、発光ダイオード３４から離間するに従って、漸次高さが高くなるように傾斜している。また、補助反射ミラー５０は、軸Ｐに沿う方向に配置されており、焦点Ｏより上面２０ｃの外周縁部側に配置されている。
【００４８】
図１０は、図９のＸ−Ｘ線における断面図であり、この図１０に示されるように、補助反射ミラー５０の副反射面５０ｃは、焦点Ｏから離間するに従って、漸次周方向の長さが長くなるように形成されている。このため、副反射面５０ｃを上面視すると、副反射面５０ｃは、焦点Ｏを中心に扇型形状に形成されている。そして、副反射面５０ｃの内方には、発光器１が配置されており、副反射面５０ｃの下端部は、発光器１の外周縁部に沿うように配置されている。また、副反射面５０ｃは、反射面５ａの軸Ｐを中心として対称となるように配置されている。なお、本実施の形態２においては、副反射面５０ｃの角度は、略９０°とされている。ここで、本実施の形態２においては、副反射面５０ｃの角度は、略９０°程度とされているが、これに限られない。
【００４９】
図１１は、図８に示された回転灯２００の側断面図であり、この図１１に示されるように、副反射部５０ｂは、台２０の上面２０ｃから上方に向かうに従って、漸次幅が大きくなるように形成されている。なお、上記構成以外の構成は、上記実施の形態１と同様に構成されている。また、副反射部５０ｂおよび副反射面５０ｃの高さＨは、副反射部５０ｂの上端部から台２０の上面２０ｃとの距離とする。
【００５０】
図１２は、本実施の形態２に係る回転灯２００の上面図であり、この図１２に示されるように、発光器１からの光が、反射ミラー５により反射されると、平行光となり、外方に反射される。図１３は、回転灯２００の側断面図であり、この図１３に示されるように、発光器１からの光が反射ミラー５により反射されると、反射光は、水平方向に出射される。すなわち、本実施の形態２に係る回転灯２００においても、上記実施の形態１と同様に発光器１からの光が反射ミラー５により反射されると、反射面５ａの軸Ｐに平行な平行光として反射される。
【００５１】
図１４は、回転灯２００の側断面図であり、発光器１からの光を反射する反射効率を示した図である。この図１４に示されるように、発光器１からの光のうち、焦点Ｏと副反射面５０ｃの上端部とを通る線分と、焦点Ｏと副反射面５０ｃの下端部とを通る線分とにより挟まれる領域が、副反射面５０ｃにより反射される。この副反射面５０ｃにより反射される逆反射領域は、副反射面５０ｃの高さＨにより変動し、副反射面５０ｃの高さＨが高い程、領域が広くなる。その一方で、発光ダイオード３４からの光のうち、副反射面５０ｃの下端部と、開口部２０ａの外周縁部部との間を通過する部分は、副反射面５０ｃにより反射されることなく、外方に放射される。さらに、発光ダイオード３４の光のうち、副反射面５０ｃの上端部と、反射ミラー５の上端部との間を通過する光は、直接外方に放射される。ここで、発光ダイオード３４が光を放射する総放射角度をβとし、焦点Ｏと副反射面５０ｃの上端部と副反射面５０ｃの下端部との成す角度のうち、焦点Ｏにおける角度をα１とする。また、反射ミラー５が発光ダイオード３４からの光を反射する領域の焦点Ｏの角度をα２とする。さらに、γ１を、副反射面５０ｃの下端部と開口部２０ａの外周縁部との間を通過する発光ダイオード３４の光の焦点Ｏにおける角度とし、また、副反射面５０ｃの上端部と反射ミラー５の上端部との間を通過する発光ダイオード３４の光の焦Ｏにおける角度γ２とする。
【００５２】
ここで、γ１は、副反射面５０ｃの下端部と開口部２０ａの外周縁部との間を通過する発光ダイオード３４の光の焦点Ｏにおける角度であり、小さい角度である。さらに、γ２は、副反射面５０ｃの上端部と反射ミラー５の上端部との間を通過する発光ダイオード３４の光の焦点Ｏにおける角度であり、小さい角度となる。その一方で、発光器１から放射される総放射角βのうち、外方に向けて直接放射されるのは、γ１＋γ２となるため、直接外方に放射される光は、小さく抑えられている。
【００５３】
すなわち、補助反射ミラー５０により、本来直接外方に出射されていた発光ダイオード３４の光を利用することができ、反射効率が向上されている。
【００５４】
図１５は、回転灯２００の側断面図であり、この図１５に示されるように、発光器１からの光のうち、反射ミラー５のうち下端部側に向けて照射された光は、まず、反射ミラー５により水平方向に向けて反射される。そして、反射ミラー５の下端部で反射された発光器１からの光は、副反射面５０ｃにより反射ミラー５に向けて反射される。この副反射面５０ｃからの反射光は、反射ミラー５により再度反射される。そして、この反射ミラー５により再度反射された光は、水平方向より下方に向けて出射される。
【００５５】
このように、発光器１からの光のうち、副反射面５０ｃと反射面５ａとの間で往復する光は、側方から見ると、水平方向より下方に向けて出射される。すなわち、副反射面５０ｃの高さＨが高くなるほど、水平方向より下方に向けて出射される光の量が多くなる。その一方で、反射ミラー５により平行光とされ、外方に向けて出射される平行光の量が少なくなる。このため、この副反射面５０ｃの高さＨは、回転灯２００の用途、設置場所などに合わせて、適宜変更する。
【００５６】
すなわち、回転灯２００からの光を遠方にまで届かす必要性が大きい場合には、副反射面５０ｃの高さＨを低く設定する。また、たとえば、回転灯２００を人の視点より高い位置に設置し、下方から視認性を確保する必要性が大きい場合には、副反射面５０ｃの高さＨを高く設定する。
【００５７】
図１６は、図１５のＸＶＩ−ＸＶＩ線における断面図であり、この図１６に示されるように、発光器１から出射された光は、放射光として、反射ミラー５に向けて進行する。そして、発光器１からの光は、反射ミラー５により、軸Ｐに平行な平行光として反射される。この平行光は、副反射面５０ｃにより反射され、その後一旦収束し、そして、拡散する。この副反射面５０ｃからの反射光は、反射ミラー５により反射される。この反射ミラー５により反射された反射光は、反射ミラー５から離れた位置で収束するように進行する。
【００５８】
本実施の形態２に係る回転灯２００によれば、発光器１からの光を、反射ミラー５が反射し、そして、この反射光を補助反射ミラー５０が反射し、さらに、この補助反射ミラー５０からの反射光を反射ミラー５が反射することにより、発光器１からの光を下方に向けて出射することができ、下方からの視認性を向上させることができる。また、補助反射ミラー５０は、発光器１から反射ミラー５に向かわない光のうち、少なくとも一部を反射ミラー５に向けて反射することができ、反射効率を向上することができる。
【００５９】
なお、本実施の形態２においても、発光器１から直接反射ミラー５により反射された光は、平行光となるため、上記実施の形態１と同様に回転灯２００からの光を遠方にまで届かせることができる。
【００６０】
また、本実施の形態２に係る回転灯２００も、上記実施の形態１に係る回転灯と同様の構成を有するため、上記実施の形態１に係る回転灯と同様の効果を得ることができる。
【００６１】
（実施の形態３）
図１７から図２０を用いて、本実施の形態３に係る回転灯３００について説明する。
【００６２】
図１７は、本実施の形態３に係る回転灯の斜視図である。この図１７に示されるように、回転灯３００は、筐体１６と、この筐体１６内に配置された光源としてのパワーＬＥＤ６０と、パワーＬＥＤ６０が配置されたプリント基板２と、プリント基板２を介してパワーＬＥＤ６０が装着された放熱部６２と、反射ミラー６１と、電源供給部６７とを備えている。
【００６３】
グローブ１２は、円形状に形成された上壁１２ｂと、この上壁１２ｂの周縁部に形成された周壁部１２ｃとを備えている。複数のボス６３により上壁１２ｂには、放熱部６２が直接固定されている。放熱部６２は、円形板状に形成されており、上壁１２ｂから僅かに離間して固定されている。そして、放熱部６２の表面のうち、筐体１６の内方側の表面には、プリント基板２が固定されている。プリント基板２の略中央部には、パワーＬＥＤ６０が固定されている。
【００６４】
電源供給部６７と、プリント基板２との間には、リード線６６が設けられている。このリード線６６は、電源供給部６７からパワーＬＥＤ６０に電気を供給するための配線である。このリード線６６は、一方の端部がプリント基板２に接続されている。そして、リード線６６は、プリント基板２からグローブ１２の周壁部１２ｃに向けて延在しており、その途中でリード線保持部６５により、上壁１２ｂ側に保持されている。また、リード線６６は、周壁部１２ｃの上端部から周壁部１２ｃの下端部に向けて、周壁部１２ｃの内壁面に沿って略垂下している。そして、リード線６６は、下端部で電源供給部６７に接続されている。なお、リード線６６は、絶縁材料が被服された配線であり、リード線６６の径は、小さいものとされている。なお、光源としてのパワーＬＥＤ６０が放熱部６２を介して、上壁１２ｂに固定されているため、放熱部６２およびパワーＬＥＤ６０をボディー１３側で支持する支持部等を配置する必要がなく、反射面６１ａからの反射光の進行を阻害することが抑制されている。
【００６５】
図１８は、図１７のＸＶＩＩＩ−ＸＶＩＩＩ線における断面図である。この図１８に示されるように、シャーシ４の上面上には、軸部３が配置されており、この軸部３には、主歯車８が回転可能に支持されており、この主歯車８に台２０が固定されている。この台２０の上面側に反射ミラー６１が固定されている。すなわち、本実施の形態３においては、反射ミラー６１を回転させる駆動機構と、光源としてのパワーＬＥＤ６０とが分離されている。
【００６６】
そして、光源を冷却する放熱部６２が、駆動機構内に配置されておらず、駆動機構と離間した位置に配置されているため、放熱部６２の配置スペースを大きく確保することができる。すなわち、駆動機構をボディー１３側に配置すると共に、放熱部６２を上壁１２ｂ側に配置したため、放熱部６２が上壁１２ｂの略全面に亘って配置されている。
【００６７】
つまり、上壁１２ｂには、放熱部６２以外の部材が配置されていないため、放熱部６２を構成する板状部材の面積を広く確保することができる。さらに、反射面６１ａからの反射光および、パワーＬＥＤ６０からの光は、上壁１２ｂを通過するものではなく、放熱部６２を上壁１２ｂの全面に配置しても、パワーＬＥＤ６０からの光および反射光の進行を阻害することが抑制されている。
【００６８】
そして、このパワーＬＥＤ６０の下方には、反射ミラー６１が配置されている。反射ミラー６１は、パワーＬＥＤ６０からの光を反射する反射面６１ａを備えている。反射ミラー６１のこの反射面６１ａは、グローブ１２の開口部１２ａの近傍から、内方に向かうに従って、漸次上壁１２ｂに向かうように配置されている。この反射面６１ａは、略放物面形状に形成されている。すなわち、反射面６１ａは、放物面の一部から構成されており、パワーＬＥＤ６０は、この反射面６１ａの焦点位置に配置されている。本実施の形態３に係る回転灯３００によれば、反射面６１ａは、上壁１２ｂに向けて配置されている。そして、この反射ミラー６１は、パワーＬＥＤ６０の後方から、パワーＬＥＤ６０の光軸Ｑ側の上方を経由してパワーＬＥＤ６０よりも前方に突出するように形成されている。
【００６９】
光源としてのパワーＬＥＤ６０と駆動機構とを別個独立に配置したので、駆動機構がコンパクトに構成され、モータ１１等が軸部３の近傍に配置されると共に、駆動機構の高さが低くされている。このため、台２０より上方に広い空間が確保されると共に、周壁部１２ｃの近傍にも広い空間が確保される。そして、反射ミラー６１の下端部が台２０の上面より下方に配置されており、反射ミラー６１は、台２０の上方に形成された広い空間に亘って配置されている。このため、反射ミラー６１の反射面６１ａの面積が広く確保されている。
【００７０】
そして、パワーＬＥＤ６０の光軸Ｑは、下方に向けて配置されており、反射面６１ａと交差している。また、パワーＬＥＤ６０の光軸Ｑは、軸部３の中心軸線上またはその近傍に配置されている。
【００７１】
図１９は、反射ミラー６１および主歯車８を示す斜視図である。この図１９に示されるように、反射ミラー６１の幅は、台２０側から上方に向かうに従って、漸次広くなるように形成されている。そして、反射ミラー６１の上端部は、最も幅広に形成されている。すなわち、反射ミラー６１の上端部側は、図１８に示されたパワーＬＥＤ６０の側方を覆うように配置されている。
【００７２】
図２０は、パワーＬＥＤ６０からの光の経路を示した断面図である。この図２０に示されるように、パワーＬＥＤ６０は、反射面６１ａの焦点位置に配置されているため、パワーＬＥＤ６０の光が反射面６１ａで反射されると、平行光となる。ここで、パワーＬＥＤ６０からの光は、光軸Ｑを中心に円錐状に出射される。そして、反射ミラー６１の上端部は、パワーＬＥＤ６０からの光のうち、光軸Ｑとの交差角度が最も大きい位置を通る光の経路上に配置されている。そして、この反射ミラー６１の略中央部は、パワーＬＥＤ６０の光軸Ｑ上またはその近傍に配置されており、この反射ミラー６１の下端部は、さらに、台２０の下面側にまで延在している。このように、反射面６１ａは、パワーＬＥＤ６０からの光を広範囲に亘って反射している。また、反射面６１ａは、パワーＬＥＤ６０の近傍から台２０の下面側までに亘って広範囲に配置されているため、反射面６１ａからの反射光経路の断面積は、広く確保されている。
【００７３】
そして、パワーＬＥＤ６０が長時間発光すると、パワーＬＥＤ６０に熱が生じる。このパワーＬＥＤ６０に生じた熱は、まず、プリント基板２に伝熱される。プリント基板２は、伝熱性のよい金属材料を含む材料等により構成されているため、熱が良好に外方に放熱されると共に、放熱部６２に伝熱される。ここで、プリント基板２の下面の略全面と、放熱部６２とが接触しているため、プリント基板２から放熱部６２に熱が、良好に伝えられる。放熱部６２は、上壁１２ｂの全面を覆う程度の板状部材により構成されているため、空気との接触面積が広く、また、伝熱性のよい金属材料を含む材料により構成されているため、熱が良好に外方に放熱される。また、放熱部６２は、上壁１２ｂから僅かに離間するように配置されているため、上壁１２ｂ側からの表面からも熱が良好に放熱される。このように、パワーＬＥＤ６０の熱が良好にプリント基板２および放熱部６２が外方に放熱されると、パワーＬＥＤ６０に熱が蓄積され難くなり、パワーＬＥＤ６０が高温となることが抑制される。
【００７４】
本実施の形態３に係る回転灯３００によれば、反射面６１ａの面積が広く確保されているため、パワーＬＥＤ６０からの光の反射効率を向上させることができる。
【００７５】
さらに、反射面６１ａの面積が確保されているため、反射面６１ａからの反射光の経路の断面積を確保することができ、視認性を向上させることができる。
【００７６】
また、放熱部６２とプリント基板２との接触面積が確保されているため、パワーＬＥＤ６０の熱を良好に放熱部６２に伝えることができ、放熱効率のよい放熱部６２で熱を外方に放熱するため、パワーＬＥＤ６０を良好に冷却することができる。このため、光源としてのパワーＬＥＤ６０の長寿命化を図ることができる。
【００７７】
（実施の形態４）
図２１、図２２を用いて本実施の形態４に係る回転灯４００について説明する。
【００７８】
図２１は、本実施の形態４に係る回転灯４００の一部を断面視した側面図である。この図２１に示されるように、本実施の形態４においても、放熱部６２と、反射ミラー６１を駆動させる駆動機構とは、別個に配置されている。すなわち、放熱部６２は、グローブ１２の上壁１２ｂの内壁面に配置されている。
【００７９】
図２２は、図２１に示された回転灯の放熱部６２付近の断面図である。この図２２に示されるように、放熱部６２は、上壁１２ｂの内壁面に固定された放熱板６２ａと、放熱板６２ａの下面に配置され、放熱板６２ａより面積が小さい放熱板６２ｂと、この放熱板６２ｂの下面に配置され放熱板６２ｂより面積が大きい放熱板６２ｃとを備えている。すなわち、放熱部６２は、面積が異なる板状部材を互いに重畳して形成されており、空気と接触する表面積が確保されている。そして、放熱板６３ｃは、プリント基板２と略同じ大きさとされている。また、最も上壁１２ｂ側に配置された放熱板６２ａは、上壁１２ｂから僅かに離間した状態で、上壁１２ｂに固定されている。なお、放熱部６２は、上壁１２ｂを覆う程度の放熱板６２ａ、６２ｃと、この放熱板６２ａ、６２ｃより面積が小さい放熱板６２ｂとをさらに積層して形成してもよい。上記構成以外の構成は、上記実施の形態３に記載された回転灯と同様の構成であり、同一の符号を付してその説明を省略する。
【００８０】
このように構成された回転灯４００によれば、パワーＬＥＤ６０の熱は、プリント基板２に伝えられる。そして、プリント基板２に伝達された熱は、プリント基板２の上面の略全面から放熱板６２ｂに伝えられる。そして、放熱板６２ｂに伝達された熱は、放熱板６２ｃの下面の略全面から放熱板６２ｃに伝達される。また、放熱板６２ｃに伝達された熱は、放熱板６２ｃの上面の略全面から放熱板６２ａに伝達される。このように、熱の伝達は、放熱板６２ｃの表面を介して行なわれるため、放熱板６２ｃから放熱板６２ａへの伝熱や、放熱板６２ｂから放熱板６２ｃへの伝熱は、良好になされる。
【００８１】
上記のように構成された回転灯４００によれば、放熱部６２の表面積が大きいため、放熱部６２から外方への放熱量を向上させることができる。このため、パワーＬＥＤ６０を良好に冷却することができる。また、パワーＬＥＤ６０に生じた熱は、放熱板６２ａ〜６２ｃに良好に伝達され、各放熱板６２ａ〜６２ｃで外方に良好に外方に放熱することができる。
【００８２】
（実施の形態５）
図２３から図２７を用いて、本実施の形態５に係る回転灯５００について説明する。なお、上記実施の形態１に係る回転灯１００と同様の構成については、同一の符号を付してその説明を省略する。図２３は、本実施の形態５に係る回転灯５００の正面図である。この図２３に示されるように、回転灯５００の反射面５ａの略全面に、凹部５Ａと凸部５Ｂとが形成されている。この凹部５Ａと凸部５Ｂとは、反射ミラー５の回転軸線と、交差するように延在し、たとえば、直交する方向に延在している。そして、この凹部５Ａと、凸部５Ｂとは、反射ミラー５の回転軸線方向に向けて、交互に複数形成されている。このように、反射面５ａの表面には、複数の凹凸部５Ａ，５Ｂが形成されているため、パワーＬＥＤからの光が、反射面５ａにあたると、種々の方向の反射される。
【００８３】
図２４は、図２３に示された回転灯５００の側断面図である。この図２４において、反射面５ａに形成された凹部５Ａの表面に位置する反射面（第１反射面）５ａ１は、放物面とされており、凸部５Ｂの表面に位置する反射面５ｂは、この放物面に対して交差する方向に向けて配置されている。そして、パワーＬＥＤ６０を有する照明器１は、放物面とされた反射面５ａ１の焦点Ｏに配置されている。図２５は、パワーＬＥＤ６０からの光の経路を示した側断面図であり、図２６は、反射ミラー５の一部を断面視した回転灯５００の平面図であり、いずれも、発光器１からの光の反射状態を示した図である。図２５および図２６に示されるように、ボディー１３が水平に配置されていると、パワーＬＥＤ６０からの光は、放射状に広がり、そして、凹部５Ａの反射面５ａ１にあたると、水平方向に平行光として反射される。
【００８４】
その一方で、図２５に示すように、パワーＬＥＤ６０からの光が凸部５Ｂの反射面５ｂにあたると、反射面５ａの反射光に対して交差する方向に反射される。このため、パワーＬＥＤ６０からの光が、反射ミラー５により反射されると、平行光およびこの平行光に対して交差する方向にも反射されるため、回転灯５００の正面および正面から多少ずれた位置においても、回転灯５００の視認性を確保することができる。
【００８５】
図２７は、反射ミラー５の拡大断面図であり、パワーＬＥＤ６０からの光の経路を示した図である。この図２７に示されるように、反射面５ａは、放物面形状の反射面５ａ１と、この反射面５ａ１の両側に配置された反射面５ａ２と、反射面５ａ３とを備えている。これら反射面５ａ１、反射面５ａ２、反射面５ａ３は、いずれも、図２５に示す基体１３側から反射ミラー５の上端部側に亘って、それぞれ順次交互に配置されている。そして、反射面５ａ２および反射面５ａ３は、凸部５Ｂの表面上に形成されており、反射面５ａ２は、反射面５ａ１に対して、反射面５ａ３と反対側に配置されている。
【００８６】
反射面５ａ２は、図２５に示す基体１３側から反射ミラー５の上端部側に向かうに従って、隣接する反射面５ａ１よりも、パワーＬＥＤ６０側に向けて傾斜するように配置されている。
【００８７】
このため、反射面５ａ２は、パワーＬＥＤ６０からの光を反射面５ａ１により反射された反射光よりも、図２５に示す基体１３に向けて反射する。すなわち、基体１３が水平ホ方向に配置されていると、反射面５ａ２からの反射光は、水平方向より下方に向けて反射される。このため、回転灯５００が、観察者の視線よりも上方の位置に配置されたとしても、下方からの回転灯５００の視認性を確保することができる。
【００８８】
そして、基体１３側から反射ミラー５の上端部側に向かうに従って、反射面５ａ２の基体１３側から反射ミラー５側に向かう方向の幅は、短くなるように形成されており、また、反射面５ａ３の幅は、長くなるように形成されている。
【００８９】
このため、図２５に示す基体１３側に位置する反射面５ａ２の面積は、反射ミラー５の上端部側に位置する反射面５ａ２の面積よりも、小さくされており、反射ミラー５の上端部側に位置する反射面５ａ３の面積は、基体１３側に位置する反射面５ａ３の面積よりも、小さくされている。
【００９０】
これに伴い、下方に向かう反射光が、図２５に示す回転部材８および基体１３により遮蔽されることが抑制され、良好に下方に向けて反射光を放射することができる。さらに、平行光よりも反射ミラー５の上端部側に向かう反射光は、反射ミラー５の基体１３側に広く確保されているため、回転灯５００の上方からの視認性も確保することができる。
【００９１】
その一方で、反射面５ａ１の基体１３側から反射ミラー５の上端部側に向かう方向の幅は、反射面５ａの位置に係わらず、略均一とされている。このため、反射面５ａの上端部側から基体１３側までの略全面から略均等に、平行光が放射される。この平行光は、遠方にまで到達することができるので、回転灯５００の正面からの視認性を遠方においても確保することができる。
【００９２】
（実施の形態６）
図２８から図３２を用いて、本実施の形態６に係る回転灯６００について説明する。なお、上記実施の形態１に係る回転灯１００と同様の構成については、同一の符号を付してその説明を省略する。図２８は、本実施の形態６に係る回転灯６００の正面図である。この図６に示されるように、回転灯６００は、グローブ１２内に配置された、透明な光導部７０を備えている。この光導部７０は、アクリル、ポリカーボネイド等の透明樹脂素材や、非プラスチック透明素材のガラス等の透明な素材から構成されている。
【００９３】
このように、光導部７０が透明な部材により構成されているため、反射面５ａにより反射された反射光が、光導部７０により、遮蔽されることを抑制することができる。このため、反射面５ａからの反射光による回転灯６００の視認性を確保することができる。
【００９４】
図２９は、回転灯６００の側断面図であり、図３０は、回転灯６００の反射ミラー５の一部を断面視した平面図である。図２９に示されるように、光導部７０は、台２０の上面上に固定され、パワーＬＥＤ６０に向けて延在する固定部７４と、この固定部７４に設けられ、パワーＬＥＤ６０の上面上に配置された首部７２と、この首部７２の下端部に形成された集光部７３と、首部７２の先端部に設けられた散乱部７１とを備えている。
【００９５】
図２９および図３０に示されるように、散乱部７１は、半円状に延在しており、首部７２の先端部から、反射面５ａと反対側に向けて突出している。この散乱部７１の表面のうち、反射面５ａ側に形成された反射面７１ａは、半円錐台形状とされている。
【００９６】
図３１は、光導部７０の拡大断面図であり、この図３１および図２９に示されるように、集光部７３の表面のうち、パワーＬＥＤ６０と対向する表面は、たとえば、凸レンズ７３ａとされており、この集光部７３は、パワーＬＥＤ６０の光軸Ｑに対して、反射面５ａと反対側に位置している。
【００９７】
このため、集光部７３は、パワーＬＥＤ６０から放射される光のうち、反射面５ａに当たらない光を集光することができ、パワーＬＥＤ６０から放射される光の利用効率を向上させることができる。そして、凸レンズ７３ａは、パワーＬＥＤ６０からの光を、首部７２および散乱部７１に向けて屈曲させる。なお、本実施の形態においては、集光部７３の表面のうち、パワーＬＥＤ６０と対向する表面を凸レンズとしているが、これに限られない。すなわち、パワーＬＥＤ６０からの光を、首部７２または散乱部７１に向けて屈曲させることが可能な形状であれば、平面状であってもよく、凹レンズであってもよい。
【００９８】
首部７２に供給されたパワーＬＥＤ６０からの光は、首部７２内を反射等しながら、散乱部７１側に導かれる。反射面７１ａの傾斜角度は、首部７２からの光を全反射可能なように設定されており、光導部７０を構成する部材により、適宜設定されている。
【００９９】
散乱部７１の表面のうち、反射面７１ａと反対側に位置する表面には、複数の凸レンズ７１ｂが形成されている。この凸レンズ７１ｂは、反射面７１ａによって反射された光を、散乱させて、図２９に示される反射面５ａにより反射された平行光に対して交差する方向に向けて放射する。このように、散乱部７１にて、パワーＬＥＤ６０からの光を散乱させることができるので、回転灯６００の正面からの視認性のみならず、下方および上方からの視認性をも確保することができる。
【０１００】
また、光導部７０は、パワーＬＥＤ６０から立設するように設けられており、散乱部７１は、台２０より反射ミラー５の上端部側に配置されているので、回転灯６００の正面のみならず、下方からでも、散乱部７１を視認することができる。このため、下方から回転灯６００を見た場合においても、良好に散乱部７１からの光を視認することができ、下方からの視認性の向上が図られている。
【０１０１】
ここで、観察者は、光導部７０を介して、パワーＬＥＤ６０を見ることとなるが、観察者にとっては、あたかも、散乱部７１自体が光を発しているように見える。
【０１０２】
そして、光を散乱させるレンズ７１ｂは、基体１３側から反射ミラー５の上端部側に向けて複数積層されているため、散乱部７１にあたかも見える光源の大きさを確保することができる。
【０１０３】
ここで、各レンズ７１ｂは、基体１３側から反射ミラー５の上端部側に向かうに従って、図２９に示される反射ミラー５と反対側に向けて突出するように形成されている。そして、反射面７１ａが、基体１３側から反射ミラー５の上端部側に向かうに従って、反射ミラー５と反対側に向けて、傾斜するため、散乱部７１の水平方向の厚みは、基体１３側から反射ミラー５の上端部側に亘って、大きな差が生じないようにされている。
【０１０４】
このように、散乱部７１の厚みに差が生じないように形成されているため、光導部７０を押出し成形などの手法により製造する際に、位置によって冷却される速度に大きな差が生じ難くなり、良好に光導部７０を製造することができる。
【０１０５】
図２９に示すように、光導部７０の首部７１は、光軸Ｑに対して、反射面５ａと反対側に向けて傾斜している。このように、首部７１が傾斜させることにより、反射面５ａに形成される光導部７０の影を反射面５ａの上端部側に位置させることができる。すなわち、パワーＬＥＤ６０と、光導部７０との直線上に位置する反射面５ａには、パワーＬＥＤ６０からの光は、光導部７０により遮蔽され、パワーＬＥＤ６０からの光が薄くなっており、この部分の反射光は弱いものとなる。そこで、このように、反射光の弱い部分を反射ミラーの上端部側に位置させることにより、この反射光の弱い部分が目立つことを抑制することができる。
【０１０６】
さらに、パワーＬＥＤ６０と反射ミラー５の上端部とを結ぶ平面と、反射面５ａとにより規定される領域よりも、光導部７０を反射ミラー５に対して、外方に位置させることにより、反射面５ａに光導部７０の影が写ることを抑制することができ、反射面５ａからの反射光が弱い部分が形成されることを抑制することができる。なお、光導部７０を図２９に示す軸部３の中心線上に配置し、延在させることにより、回転灯６００が駆動した際に、光導部７０は、一定位置に位置するように見せることができる。さらに、本実施の形態においては、首部７２も、円錐形状としているが、このような形状に限られず、たとえば、水平方向の幅が、基体１３側から反射ミラー５の上端部側に亘って、略一定とされた半円筒状としてもよい。また、このように、首部７２の水平方向の厚みが、基体１３側から反射ミラー５の上端部側に亘って均等となるように、形成することにより、光導部７０を製造する際に、位置によって冷却速度が大きく異なることを抑制することができ、良好に光導部７０を製造することができる。
【０１０７】
図３２は、反射ミラー５の一部を断面視した回転灯６００の平面図であり、パワーＬＥＤ６０からの光の経路を示した図である。この図３４に示されるように、上面視した際には、光導部７０を介して、散乱されるパワーＬＥＤ６０からの光は、パワーＬＥＤ６０を中心として、放射状に放射され、放射角度は、１８０°程度とされている。さらに、図３１に示すように、散乱部７１からの光は、上下方向にも散乱するため、回回転灯６００からの光は、平面視した際に、略１８０°程度の範囲であって、上下方向にも放射されるので、種々の位置から散乱部７１からの光を観察することができる。
【０１０８】
なお、本実施の形態においては、平面視した際に、散乱部７１および首部７２がパワーＬＥＤ６０の周囲を覆う領域は、パワーＬＥＤ６０を中心として、１８０°程度となるように半円状に形成されているが、この領域に限られず、１８０°以上または１８０°以下とされてもよい。さらに、上面視した際に反射面５ａは、パワーＬＥＤ６０の周囲のうち、光導部７０とは反対側の周囲を覆うように配置されており、パワーＬＥＤ６０の周囲を略１８０°覆うように形成されているが、このような角度に限られず、パワーＬＥＤ６０の周囲を種々の角度の範囲で覆うこととしてもよい。
【０１０９】
すなわち、光導部７０の視認性を確保するために、散乱部７０および脚部７１がパワーＬＥＤ６０の周囲を覆う角度を大きくする一方で、反射ミラー５がパワーＬＥＤ６０の周囲を覆う角度を小さくしてもよく、これら、光導部７０および反射ミラー５がパワーＬＥＤ６０の周囲を覆う角度は、光導部７０による視認性および反射ミラー５による視認性とのバランスにより適宜変更される。
【０１１０】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【０１１１】
本発明は、発光ダイオードを用いた回転灯に好適である。
【図面の簡単な説明】
【０１１２】
【図１】実施の形態１に係る回転灯の斜視図である。
【図２】図１に示された回転灯のＩＩ−ＩＩ線における側断面図である。
【図３】プリント基板と、発光器と、主歯車との斜視図である。
【図４】実施の形態１に係る回転灯の発光器の上面図である。
【図５】発光ダイオードの接続状態を示す配線図である。
【図６】発光器１の変形例を示す斜視図である。
【図７】図２のＶＩＩ−ＶＩＩ線における断面図である。
【図８】実施の形態２に係る回転灯の斜視図である。
【図９】図８に示された回転灯の側断面図である。
【図１０】図９のＸ−Ｘ線における断面図である。
【図１１】図８に示された回転灯の側断面図である。
【図１２】実施の形態２に係る回転灯の上面図である。
【図１３】図１２に示された回転灯の側断面図である。
【図１４】回転灯の側断面図であり、発光器からの光を反射する反射効率を示した図である。
【図１５】回転灯の側断面図である。
【図１６】図１５のＸＶＩ−ＸＶＩ線における断面図である。
【図１７】本実施の形態３に係る回転灯の斜視図である。
【図１８】図１７のＸＶＩＩＩ−ＸＶＩＩＩ線における断面図である。
【図１９】反射ミラーおよび主歯車を示す斜視図である。
【図２０】パワーＬＥＤからの光の経路を示した断面図である。
【図２１】本実施の形態４に係る回転灯の一部を断面視した側面図である。
【図２２】図２１に示された回転灯の放熱部付近の断面図である。
【図２３】本実施の形態５に係る回転灯の正面図である。
【図２４】図２３に示された回転灯の側断面図である。
【図２５】パワーＬＥＤからの光の経路を示した側断面図である。
【図２６】反射ミラーの一部を断面視した回転灯の平面図である。
【図２７】反射ミラーの拡大断面図である。
【図２８】本実施の形態６に係る回転灯の正面図である。
【図２９】回転灯の側断面図である。
【図３０】回転灯の反射ミラーの一部を断面視した平面図である。
【図３１】光導部の拡大断面図である。
【図３２】反射ミラーの一部を断面視した回転灯の平面図である。
【符号の説明】
【０１１３】
１  発光器、２  プリント基板、３  軸部、４  シャーシ（支持板）、５  反射ミラー、５ａ  反射面、７  フランジ（連結部材）、８  主歯車、９  中間歯車、１０  ピニオン歯車、１１  モータ、２０  台、２０ａ  上面、２１  駆動部、３１  リードフレーム、３３  ハウジング（環状部材）、３４  発光ダイオード、３５  延在部、５０  補助反射ミラー、５０ｃ  副反射面、６０  パワーＬＥＤ。
【図１】
2006318885.tif 000003
【図２】
2006318885.tif 000004
【図３】
2006318885.tif 000005
【図４】
2006318885.tif 000006
【図５】
2006318885.tif 000007
【図６】
2006318885.tif 000008
【図７】
2006318885.tif 000009
【図８】
2006318885.tif 000010
【図９】
2006318885.tif 000011
【図１０】
2006318885.tif 000012
【図１１】
2006318885.tif 000013
【図１２】
2006318885.tif 000014
【図１３】
2006318885.tif 000015
【図１４】
2006318885.tif 000016
【図１５】
2006318885.tif 000017
【図１６】
2006318885.tif 000018
【図１７】
2006318885.tif 000019
【図１８】
2006318885.tif 000020
【図１９】
2006318885.tif 000021
【図２０】
2006318885.tif 000022
【図２１】
2006318885.tif 000023
【図２２】
2006318885.tif 000024
【図２３】
2006318885.tif 000025
【図２４】
2006318885.tif 000026
【図２５】
2006318885.tif 000027
【図２６】
2006318885.tif 000028
【図２７】
2006318885.tif 000029
【図２８】
2006318885.tif 000030
【図２９】
2006318885.tif 000031
【図３０】
2006318885.tif 000032
【図３１】
2006318885.tif 000033
【図３２】
2006318885.tif 000034